(57)【要約】 【課題】  イジェクタ機構付カードエッジコネクタにおいて、指、治具等がイジェクタにアクセスできない場合であっても、容易にカードを抜去できるようにする。  【解決手段】  スロット４を有する絶縁ハウジング２と、スロット４内に配列されて挿入されたカード１００の導電パッド１０４と電気的に接触する複数の電気コンタクト６と、絶縁ハウジング２の長手方向の一端側にのみ取り付けられた、カード１００を排出するイジェクタ２０とを備え、スロット４内に装着されたカード１００の他端側をカード１００の挿入方向とほぼ逆方向に引っ張ることにより、カード１００が一端側の周りに回動するとともに、係止突起１０６が抜止部３４を付勢して、イジェクタ２０を回動し係止突起１０６と抜止部３４との係合が解除される。【選択図】          図３
2005251602.tif 000002
【特許請求の範囲】
【請求項１】
一端縁に沿って導電パッドが配されたカードの前記一端縁を受容するためのスロットを有する絶縁ハウジングと、前記スロット内に配列されて挿入された前記カードの前記導電パッドと電気的に接触する複数の電気コンタクトと、前記絶縁ハウジングの長手方向の一端側にのみ取り付けられた、前記カードを排出するイジェクタとを備えたイジェクタ機構付カードエッジコネクタにおいて、
前記カードが前記スロット内に装着された状態で、前記カードは、前記一端側近傍から前記絶縁ハウジングの長手方向外側に向く係止突起を有し、
前記イジェクタは、前記係止突起を抜止めする抜止部を有するとともに、前記一端側で前記抜止部が前記係止突起に係脱するように回動可能に枢着され、
前記スロット内に装着された前記カードの他端側を該カードの挿入方向とほぼ逆方向に引っ張ることにより、前記カードが前記一端側の周りに回動するとともに、前記係止突起が前記抜止部を付勢して、前記イジェクタを回動し前記係止突起と前記抜止部との係合が解除されるよう構成されてなることを特徴とするイジェクタ機構付カードエッジコネクタ。
【請求項２】
前記イジェクタは、前記カードと係合している状態で、前記絶縁ハウジングに係合するロック部を有し、該ロック部は、前記カードが前記他端側で引っ張られて、前記イジェクタが回動する際に、前記絶縁ハウジングとの係合が解除されるように前記絶縁ハウジングと凹凸係合するよう構成されていることを特徴とする請求項１記載のイジェクタ機構付カードエッジコネクタ。
【請求項３】
前記イジェクタは、前記カードにより押圧されて前記カードを受容する受容位置に前記イジェクタが回動することが可能な被押圧面を有することを特徴とする請求項１または２記載のイジェクタ機構付カードエッジコネクタ。
【請求項４】
前記被押圧面が、前記カードの挿入方向に沿い且つ前記抜止部と一体に形成された傾斜面であることを特徴とする請求項３記載のイジェクタ機構付カードエッジコネクタ。
【請求項５】
前記被押圧面が、前記カードの挿入方向に対向し且つ前記抜止部と一体に形成された平坦面であることを特徴とする請求項３記載のイジェクタ機構付カードエッジコネクタ。
【発明の詳細な説明】
【技術分野】
【０００１】
本発明は、カードエッジコネクタに関し、特にカードエッジコネクタに装着されたカード（基板）を抜去する際に使用されるイジェクタを備えたイジェクタ機構付カードエッジコネクタに関するものである。
【背景技術】
【０００２】
従来、この種のイジェクタ機構付カードエッジコネクタとして、細長いコネクタハウジングの一端側にカードの側縁に沿って延びるＬ字型のレバーを回動可能に設けたものが知られている（特許文献１）。このコネクタハウジングは、その長手方向に沿って形成された、基板を受容するスロットを備え、Ｌ字型のレバーは、このスロットの一端側に取り付けられている。レバーは、その回動中心がコネクタハウジングの一端側にあって、挿入された基板（カード）の下端縁に位置する作用部と、この作用部と一体に基板の挿抜方向に延びる操作部を有する。このイジェクタ機構付カードエッジコネクタに装着されている基板をスロットから排出するためには、レバーの操作部を、挿入された基板の主面と平行な面内で、コネクタハウジングの外側に開くと、作用部が挿入された基板を梃子のように下から上に持ち上げて基板をスロットから抜去するようになっている。
【０００３】
また、他の従来のイジェクタ機構付カードエッジコネクタとして、カードの側縁に沿ってコネクタハウジング側から延びるイジェクタを有するものがある（特許文献２）。このコネクタの場合は、スロットに装着されたカードを排出するときに、イジェクタの上端をカードの側縁に沿ってコネクタハウジング側に押圧することにより、イジェクタのカム部材がスロットからカードを押し出すようになっている。
【０００４】
他方、パーソナルコンピュータ等に使用されるカード（子基板）は、大容量化しており、それに伴って、カードに搭載するＩＣチップ等の電子部品の数が増大し、カードのサイズも大型化している。このような大型のカードとして、例えば、グラフィックカード等がある（例えば、特許文献３）。このカードは、コネクタへの接続部の幅より広い、挿抜方向と直交する幅を有しており、また、イジェクタと係合する係止突起を有していることが外形上の特徴である。
【特許文献１】特開平８−２０３６０８号公報（図１、図５）
【特許文献２】特開平７−２９６８８８号公報（図５〜図７）
【特許文献３】米国特許第６３６８１２４号明細書（図２）
【発明の開示】
【発明が解決しようとする課題】
【０００５】
前述の特許文献１および２に記載された従来のイジェクタ機構付カードエッジコネクタは、いずれも、カードの側縁に沿った形状のレバーを有しているが、このレバーの形状の場合、上記大型のカードを取付けることがまず不可能となる。また、レバーを小型化した場合は、レバーが大型のカードの一部により覆われるので、特に多数のカードエッジコネクタを高密度に並べて配置する場合、カードの下側に位置するレバーに指を接近させることが困難となり、レバーを操作することができなくなる。また、仮にレバーを操作することができたとしても、指をレバーに接近させるための空間や、レバーが回動することが可能な十分な空間がイジェクタ機構付カードエッジコネクタに隣接して必要となる。このため、イジェクタ機構付カードエッジコネクタを、例えば、親基板上に取付ける場合に、他のカードエッジコネクタや、電子部品と共に高密度に実装することができないという問題も生じる。
【０００６】
本発明は、上記事情に鑑みてなされたものであり、指、治具等がイジェクタにアクセスできない場合であっても、容易にカードを抜去できるイジェクタ機構付カードエッジコネクタを提供することを目的とする。
【課題を解決するための手段】
【０００７】
本発明のイジェクタ機構付カードエッジコネクタは、一端縁に沿って導電パッドが配されたカードの一端縁を受容するためのスロットを有する絶縁ハウジングと、スロット内に配列されて挿入されたカードの導電パッドと電気的に接触する複数の電気コンタクトと、絶縁ハウジングの長手方向の一端側にのみ取り付けられた、カードを排出するイジェクタとを備えたイジェクタ機構付カードエッジコネクタにおいて、スロット内に装着されたカードの他端側をカードの挿入方向とほぼ逆方向に引っ張ることにより、カードが一端側の周りに回動するとともに、係止突起が抜止部を付勢して、イジェクタを回動し係止突起と抜止部との係合が解除されるよう構成されていることを特徴とする。なお、ここでいうスロットとは、連続的に形成されたものも、一部に隔壁が形成されたものも含むものとする。
【０００８】
また、イジェクタは、カードと係合している状態で、絶縁ハウジングに係合するロック部を有し、ロック部は、カードが他端側で引張られて、イジェクタが回動する際に、絶縁ハウジングとの係合が解除されるように絶縁ハウジングと凹凸係合するよう構成することができる。
【０００９】
また、イジェクタは、カードにより押圧されてカードを受容する受容位置に前記イジェクタが回動することが可能な被押圧面を有することができる。
【００１０】
被押圧面は、カードの挿入方向に沿い且つ抜止部と一体に形成された傾斜面、或いは、カードの挿入方向に対向し且つ抜止部と一体に形成された平坦面であってもよい。
【発明の効果】
【００１１】
本発明のイジェクタ機構付カードエッジコネクタは、カードがスロット内に装着された状態で、カードが、絶縁ハウジングの長手方向の一端側近傍から絶縁ハウジングの長手方向外側に向く係止突起を有し、イジェクタが、係止突起を抜止めする抜止部を有するとともに、一端側で抜止部が係止突起に係脱するように回動可能に枢着され、スロット内に装着されたカードの他端側をカードの挿入方向と逆方向に引っ張ることにより、カードが一端側の周りに回動するとともに、係止突起が抜止部を付勢して、イジェクタを回動し係止突起と抜止部との係合が解除されるよう構成されているので、次の効果を奏する。
【００１２】
即ち、カードが大型化したり、カードエッジコネクタの周囲に十分な空間がない等、指、治具等がイジェクタにアクセスできない場合であっても、イジェクタが設けられていない側のカードを抜去方向に単に引っ張るだけで容易にカードを抜去することができるイジェクタ機構付カードエッジコネクタが得られる。
【００１３】
また、イジェクタが、カードと係合している状態で、絶縁ハウジングに係合するロック部を有し、ロック部が、カードが他端側で引張られて、イジェクタが回動する際に、絶縁ハウジングとの係合が解除されるように絶縁ハウジングと凹凸係合するよう構成されている場合は、カードの引き抜き作業だけで、イジェクタと絶縁ハウジングとのロックを解除することができるので、イジェクタに指をアクセスさせなくとも容易にカードを抜去することができる。
【００１４】
また、イジェクタが、カードにより押圧されてカードを受容する受容位置に前記イジェクタが回動することが可能な被押圧面を有する場合は、カードの挿入時に、指でイジェクタを操作してカードを受容できる位置にする必要がなく、カードの挿入作業の一環としてイジェクタを操作できるので、簡単にカードをイジェクタ付カードエッジコネクタに装着することができる。
【００１５】
被押圧面が、カードの挿入方向に沿い且つ抜止部と一体に形成された傾斜面の場合は、傾斜面にカードを押し当ててそのまま挿入すればよいので、挿入作業がきわめて簡単である。また、被押圧面が、カードの挿入方向に対向し且つ抜止部と一体に形成された平坦面の場合は、カードの挿入時に平坦面の視認が容易であるので極めて作業性がよい。
【発明を実施するための最良の形態】
【００１６】
以下、本発明のイジェクタ機構付カードエッジコネクタ（以下、単にカードエッジコネクタという）の好ましい実施の形態について、添付図面を参照して詳細に説明する。図１は、本発明のカードエッジコネクタを示し、図１（ａ）は平面図、図１（ｂ）は右側面図を夫々示す。また、図２は図１（ａ）の２−２線に沿う拡大断面図である。
【００１７】
図１に示すように、カードエッジコネクタ１は細長い略矩形の絶縁ハウジング２を有する。絶縁ハウジング２には、後述するカードを受容するための上方に開放するスロット４が絶縁ハウジング２の長手方向に沿って形成されている。このスロット４の両側には、スロット４に臨む多数のコンタクトキャビティ８が所定の間隔で形成されており、各コンタクトキャビティ８には電気コンタクト６が圧入保持されている。
【００１８】
この電気コンタクト６は、図２に最もよく示すように、絶縁ハウジング２に圧入される圧入部６ａ、圧入部６ａから上方に延びる接触部６ｂ、圧入部６ａから下に偏倚して延び、全体として千鳥足状に配列されるタイン部６ｃを有する。カードエッジコネクタ１は、このタイン部６ｃが、親基板（印刷回路基板）１０の対応する貫通孔１０ａに挿通され、且つはんだ付けされて親基板１０に固定される。
【００１９】
スロット４の左右の所定箇所には、後述するカード１００（図１０）の挿抜方向に延びる壁１３、４１が絶縁ハウジング２と一体に形成されている。図１において、絶縁ハウジング２の一端側即ち壁１３より右側には、延長部１２が形成されている。この延長部１２には、スロット４が上方および側方に開放して形成されているが、電気コンタクト６は配置されていない。以下、この延長部１２について、図３を合わせて参照して説明する。  図３は本発明のカードエッジコネクタ１の延長部１２の部分拡大斜視図である。延長部１２は、絶縁ハウジング２と一体に成形された上下方向に延びる１対の支持壁１４を有している。また、延長部１２内のスロット４は、絶縁ハウジング２の一端側端部、即ち１対の支持壁１４の間に開放している。そしてこの支持壁１４の上下方向の略中央部には、イジェクタ２０を支持する支持孔１６がスロット４を横断して絶縁ハウジング２を貫通するように形成されている。各支持壁１４の内面には支持孔１６に至る溝１８が、支持壁１４の上縁１４ａから下方向に形成されている。イジェクタ機構を構成するイジェクタ２０は、支持孔１６に回動可能に取り付けられている。
【００２０】
次に、このイジェクタ２０について、図４から図６を合わせて参照して説明する。図４は、イジェクタ２０の斜視図、図５（ａ）は正面図、図５（ｂ）は右側面図、図５（ｃ）は背面図、図６（ａ）は平面図、図６（ｂ）は図５（ｃ）の６ｂ−６ｂ線に沿う断面図を夫々示す。イジェクタ２０は、全体が合成樹脂により一体に成形されており、上下方向に延びる本体２２と、この本体２２の下端からスロット４側に突出する排出突起２４と、本体の上端から排出突起２４と逆方向に延びる操作部２６とを有する。
【００２１】
また、本体２２の側面の略中央部右側には外形が円形の回動軸２８が互いに逆向きに１対形成されている。この回動軸２８は、前述の絶縁ハウジング２の溝１８を通って支持孔１６に枢着される。回動軸２８には、下向きのテ−パ２８ａが形成されており、イジェクタ２０を絶縁ハウジング２に取付けるときに、溝１８への押し込みが容易になる。
【００２２】
各回動軸２８の上方には、矩形の係合突起（ロック部）３０を有する。係合突起３０はスロット４側に向く緩傾斜面３０ａと、この緩係斜面３０ａに対し逆方向に向く急傾斜面３０ｂを有する。この係合突起３０は、前述の溝１８と凹凸係合して絶縁ハウジングに係止される。本体２２には、上下方向に長い矩形断面を有する係止孔３２がスロット４に対応するように形成されている。係止孔３２の上端が後述するカードと係合する抜止部３４となる。この抜止部３４の抜け止めの態様の詳細については後述する。
【００２３】
操作部２６にはスロット４側にカード（子基板）１００（図７）のほぼ挿入方向に沿った傾斜面（第１の被押圧面）３６が形成されている。この傾斜面３６には、後述するカード１００の係止突起１０６（図７）が押圧可能となっている。また、操作部２６の上面には、カード１００の挿入方向に対向する平坦面（第２の被押圧面）３８が形成されている。この平坦面３８にも係止突起１０６が押圧可能となっている。この平坦面の両側には階段状の指掛部４０が形成されている。これらの傾斜面３６、平坦面３８にカード１００を押圧して、イジェクタ２０と絶縁ハウジング２との係合を解除させることができるが、この詳細については後述する。
【００２４】
次に、絶縁ハウジング２のスロット４に挿入されるカード１００について図７を参照して説明する。図７はカード１００の斜視図である。カード１００は、前述の如くＰＣＩ  ＥＸＰＲＥＳＳ規格に準拠した概ね矩形板状であり、カード１００の主面１００ａには図示しない電子部品が実装されている。またカード１００の一端縁１０２には導電パッド１０４が所定間隔で多数配列されている。
【００２５】
また、絶縁ハウジング２の長手方向の一端側に対応する位置には外側に延びる係止突起１０６が形成されている。係止突起１０６とカード１００との間には、凹部１２０が形成されている。この凹部１２０に連続して、カード１００の拡大幅部１２６が形成されている。図７中１０８で示すカード１００の領域が絶縁ハウジング２のスロット４に挿入される部分となる。なお、一端縁１０２に開放してカード１００の挿抜方向１１０に延びる切欠１１２および１１４が形成されている。切欠１１２は、絶縁ハウジング２のスロット４の壁４１（図１）を受容するキーイングのためのものである。また、切欠１１４は、スロット４の壁１３を受容する位置に形成されている。
【００２６】
次に、図８を参照して、カード１００をカードエッジコネクタ１に挿入する時の態様について説明する。図８はカード１００をカードエッジコネクタ１に挿入するときの状態を示す部分拡大斜視図である。カード１００は、図７において、破線で囲んだ部分を拡大して示す。イジェクタ２０は、輸送、組立などの過程を経るので、イジェクタ２０が動かないように、通常は絶縁ハウジング２にロックされた状態にある。そして、このようなイジェクタ機構付カードエッジコネクタ１にカード１００を矢印１１８で示すようにスロット４に向けて押し込むときに、係止突起１０６の端部の隅部１０６ａを前述の傾斜面３６に押し当てると、カム作用によりイジェクタ２０は回動軸２８の周りに矢印４２で示す方向に回転力を受ける。その結果、前述の係合突起３０と溝１８との係合が外れる。イジェクタ２０の係合突起３０には前述の急傾斜面３０ｂが形成されているため、ある程度の回転力がイジェクタ２０に加わると、急傾斜面３０ｂと溝１８との係合が解除されるようになっている。従って、カード１００を挿入するときには、指でイジェクタ２０の操作部２６を操作してイジェクタ２０を開く必要がない。勿論イジェクタ２０の周囲に指を挿入するスペースがあれば、指で操作することもできる。
【００２７】
このときのイジェクタ２０の回動について図９をあわせて参照して説明する。図９はイジェクタ２０が十分回動したときの部分拡大図である。イジェクタ２０の係合突起３０が溝１８から外れると、イジェクタ２０は外側に開き、係止孔３２が上向きとなってカード１００の係止突起１０６を受容しやすくなる。そして、このままの状態でカード１００をスロット４に挿入すると、係止突起１０６の隅部１０６ａが、イジェクタ２０の排出突起２４の上面２４ａを下方に押圧する。これによりイジェクタ２０は反時計方向に回動して、カード１００が所定の位置に装着され、係合突起３０は溝１８と係合してイジェクタ２０がロックされる。このとき、カード１００の係止突起１０６は、係止孔３２内の抜止部３４の直下に位置しているので、カード１００はスロット４にロック状態、即ち抜止めされた状態で固定される。
【００２８】
以上、係止突起１０６を傾斜面３６に押し当ててイジェクタ２０を回動させる場合について説明したが、係止突起１０６をイジェクタ２０の平坦面３８に押し当ててもよい。この場合もイジェクタ２０を回動させるモーメントが生じるので、係合突起３０を溝１８から離脱させてイジェクタ２０を図９に示すように開くことができる。また、カード１００側の押し当てる部分は、係止突起１０６の他の部分でもよい。
【００２９】
次に、カード１００をカードエッジコネクタ１から取り外すときの態様について図１０を参照して説明する。図１０は、親基板１０に実装されたカードエッジコネクタ１からカード１００を取り外す状態を示す正面図である。なお、理解を容易にするために、カードエッジコネクタ１を部分的に破断して示す。図１０に示すように、係止突起１０６と反対側のカード１００の上端部１２２を指で摘んで矢印１２４で示すように上方に持ち上げると、カード１００は一端側すなわちイジェクタ２０のある側の周りに回動するように持ち上がる。このとき、係止突起１０６の上面１０６ｂとイジェクタ２０の抜止部３４が当接する。そしてイジェクタ２０は、図９に示すように係合突起３０が溝１８から外れてイジェクタ２０が自由に時計方向に回動可能となり、引き続きカード１００を持ち上げれば、カード１００をカードエッジコネクタ１から抜去することができる。従って、カード１００を抜くときでも、指をイジェクタ２０まで挿入する必要がないので、カード１００を容易に引き抜くことができる。なお、空間の余裕があれば、指を指掛部４０まで挿入して、指掛部４０を押し下げてイジェクタ２０を回動させて、イジェクタ２０とカード１００との係合を解除することもできる。
【００３０】
なお、図１０中１５０はコンピュータ等の筐体を示す。図１０のように、カードエッジコネクタ１は、筐体１５０内に配置したときに、カード１００が筐体１５０に極めて接近していても、容易にカード１００を外すことが可能である。また、カードエッジコネクタ１の一端側においても、カード１００の回動によるせり出し分だけスペースを確保しておけばよいので、同様に筐体に接近させてカードエッジコネクタ１を実装することができる。
【図面の簡単な説明】
【００３１】
【図１】本発明のイジェクタ機構付カードエッジコネクタを示し、（ａ）は平面図、（ｂ）は右側面図をそれぞれ示す。
【図２】図２は、図１（ａ）の２−２線に沿う拡大断面図
【図３】本発明のイジェクタ機構付カードエッジコネクタの延長部の部分拡大斜視図
【図４】本発明のイジェクタ機構付カードエッジコネクタのイジェクタの斜視図
【図５】本発明のイジェクタ機構付カードエッジコネクタのイジェクタを示し、（ａ）は正面図、（ｂ）は右側面図、図５（ｃ）は背面図
【図６】本発明のイジェクタ機構付カードエッジコネクタのイジェクタを示し、（ａ）は平面図、（ｂ）は図５（ｃ）の６ｂ−６ｂ線に沿う断面図
【図７】イジェクタ機構付カードエッジコネクタに挿入されるカードの斜視図
【図８】カードをイジェクタ機構付カードエッジコネクタに挿入するときの状態を示す部分拡大斜視図
【図９】イジェクタが十分回動したときの部分拡大図
【図１０】親基板に実装されたイジェクタ機構付カードエッジコネクタからカードを取り外す状態を示す図
【符号の説明】
【００３２】
１    イジェクタ機構付カードエッジコネクタ
４    スロット
２    絶縁ハウジング
６    電気コンタクト
２０    イジェクタ
３０    係合突起（ロック部）
３４    抜止部
３６    傾斜面（第１の被押圧面）
３８    平坦面（第２の被押圧面）
１００    カード
１０２    一端縁
１０４    導電パッド
１０６    係止突起
【図１】
2005251602.tif 000003
【図２】
2005251602.tif 000004
【図３】
2005251602.tif 000005
【図４】
2005251602.tif 000006
【図５】
2005251602.tif 000007
【図６】
2005251602.tif 000008
【図７】
2005251602.tif 000009
【図８】
2005251602.tif 000010
【図９】
2005251602.tif 000011
【図１０】
2005251602.tif 000012